(57)【要約】【課題】より精度よく昼夜を判別しつつ、周囲の明るさに応じて光源の点灯や消灯を制御することが可能な照明装置を提供する。【解決手段】太陽光発電部１と、該太陽光発電部１が発電した電力を蓄える蓄電池部３と、該蓄電池部３を電源として光源２ａを点灯させる点灯回路部２ｂを制御する制御部４と、日出時刻データおよび日没時刻データを保持するデータ保持部５ａと、日出時刻データおよび日没時刻データに基づいて日出時刻および日没時刻を特定する日出没時刻特定部５ｂと、明るさ検知部を構成する発電量検知部１ａとを備え、制御部４は、日出没時刻特定部５ｂによって特定した日出時刻または日没時刻を基準時とした該基準時前後の所定の時間内において、発電量検知部１ａの検知結果および前記基準時のいずれか一方に基づいて、光源２ａの点灯または消灯を行うことを特徴とする。【選択図】図１
2012094273.tif 000002
【特許請求の範囲】
【請求項１】
太陽光を受光することにより発電する太陽光発電部と、該太陽光発電部が発電した電力を蓄える蓄電池部と、該蓄電池部を電源として光源を点灯させる点灯回路部を制御する制御部とを備えた照明装置であって、
日出時刻データおよび日没時刻データを保持するデータ保持部と、該データ保持部の前記日出時刻データおよび日没時刻データに基づいて日出時刻および日没時刻を特定する日出没時刻特定部と、周囲の明るさを検知する明るさ検知部とを備え、前記制御部は、前記日出没時刻特定部によって特定した日出時刻または日没時刻を基準時とした該基準時前後の所定の時間内において、前記明るさ検知部の検知結果および前記基準時のいずれか一方に基づいて、前記点灯回路部を制御することにより、前記光源の点灯または消灯を行うことを特徴とする照明装置。
【請求項２】
前記制御部は、前記明るさ検知部の検知結果と、所定の閾値とを比較して、前記検知結果が前記所定の閾値以下である場合であって、前記日出没時刻特定部が特定した日出時刻に、前記点灯回路部を制御することにより、前記光源を消灯させる、あるいは、前記日出時刻後の前記所定の時間内において、前記所定の閾値を上回るまで、前記点灯回路部を制御することにより、前記検知結果の上昇に伴って、前記光源から照射される照射光の照度をより低くするように前記光源の調光を行って点灯を維持することを特徴とする請求項１に記載の照明装置。
【請求項３】
前記制御部は、前記明るさ検知部の検知結果と、所定の閾値とを比較して、前記検知結果が前記所定の閾値以下である場合、前記日出没時刻特定部が特定した日没時刻前の前記所定の時間内において、前記点灯回路部を制御することにより、前記光源を点灯させることを特徴とする請求項１に記載の照明装置。
【請求項４】
前記蓄電池部の充電量を所定の間隔で検知する充電量検知部を備え、前記制御部が前記点灯回路部を制御することにより、前記充電量検知部が検知した前記蓄電池部の充電量の低下に伴って、前記光源から照射される照射光の照度をより低くするように前記光源の調光を行うことを特徴とする請求項１ないし請求項３のいずれか１項に記載の照明装置。
【請求項５】
前記明るさ検知部は、前記太陽光発電部の発電量を検知する前記発電量検知部、あるいは前記太陽光発電部とは別に設けられ地上面の照度を検知する光センサ部を用いて構成されてなることを特徴とする請求項１ないし請求項４のいずれか１項に記載の照明装置。
【発明の詳細な説明】
【技術分野】
【０００１】
本発明は、昼間に太陽光発電部の電力を蓄電池部に充電させ、夜間に蓄電池部から供給される電力により照明を行なう照明装置に関する。
【背景技術】
【０００２】
従来から、道路沿い、公園や工場敷地内などの屋外に設置され、昼間に太陽光を受光することにより発電する太陽光発電部の電力によって蓄電池部を充電させ、夜間に蓄電池部を電源として光源を点灯させる街路灯や防犯灯などの照明装置が用いられている。この種の照明装置は、たとえば、照明装置の周囲が暗くなり、太陽光発電部たる太陽電池パネルの発電量が低下したことを検知して日没を判別し、光源を点灯させている。また、照明装置は、タイマを用いて、判別した日没時から所定の時間の経過後に光源を消灯させている。
【０００３】
また、照明装置ではないが、交通安全の呼びかけなどを点灯表示させる発光素子を備えた表示部の電源として、太陽電池パネルと、蓄電池部とを組み合わせた表示装置も知られている（たとえば、特許文献１）。
【０００４】
特許文献１の表示装置では、太陽電池パネルと、太陽電池パネルの発電出力レベルを検知する発電レベル検出手段と、周囲の明るさを基に昼夜を検出する昼夜検出手段と、太陽電池パネルが発電した電力を蓄える蓄電池部と、蓄電池部から供給される電力により点灯する発光素子を備えた表示部と、表示部に配置した発光素子の発光輝度の切換や発光オンと発光オフの比率を制御可能な制御部とを備えている。
【０００５】
上述の特許文献１の表示装置では、太陽電池パネルの発電出力レベルを検知する発電レベル検出手段とは別途に備えた照度センサを昼夜検出手段とし、昼夜検出手段が周囲の明るさを検出して昼夜を判断している。なお、特許文献１の表示装置では、たとえば、太陽電池パネル上に積雪などが残存し、発電レベル検出手段の検出結果が低い状態で、昼夜検出手段が表示装置の周囲が明るい昼間であると判断した場合、蓄電池部の電力消費を抑制するために、表示部の点灯を暗く制御している。
【先行技術文献】
【特許文献】
【０００６】
【特許文献１】特開２００２−１８９４５０号公報
【発明の概要】
【発明が解決しようとする課題】
【０００７】
しかしながら、上述した太陽電池パネルの発電量の低下を検知して、日没を判別する照明装置や、上述の特許文献１の表示装置の照度センサを用いた昼夜検出手段を応用した照明装置の構成だけでは、精度よく昼夜を判別しがたく、光源の誤点灯が生じるおそれがある。すなわち、日没頃など完全に太陽が隠れていない場合、照明装置は、たとえば、雲や高い建物に太陽が隠れたり、現れたりすると昼夜検出手段などの検知結果に応じて、光源が頻繁に点灯や消灯などを繰り返す恐れがある。このような、照明装置は、光源から照射される照射光の照度が急激に変化することで、通行人などに不安感などを生じさせる恐れもあり、照射光が照射される視環境として好ましくない。
【０００８】
本発明は上記事由に鑑みてなされたものであり、その目的は、より精度よく昼夜を判別しつつ、周囲の明るさに応じて光源の点灯や消灯を制御することが可能な照明装置を提供することにある。
【課題を解決するための手段】
【０００９】
本発明の照明装置は、太陽光を受光することにより発電する太陽光発電部と、該太陽光発電部が発電した電力を蓄える蓄電池部と、該蓄電池部を電源として光源を点灯させる点灯回路部を制御する制御部とを備えた照明装置であって、日出時刻データおよび日没時刻データを保持するデータ保持部と、該データ保持部の上記日出時刻データおよび日没時刻データに基づいて日出時刻および日没時刻を特定する日出没時刻特定部と、周囲の明るさを検知する明るさ検知部とを備え、上記制御部は、上記日出没時刻特定部によって特定した日出時刻または日没時刻を基準時とした該基準時前後の所定の時間内において、上記明るさ検知部の検知結果および上記基準時のいずれか一方に基づいて、上記点灯回路部を制御することにより、上記光源の点灯または消灯を行うことを特徴とする。
【００１０】
この照明装置において、上記制御部は、上記明るさ検知部の検知結果と、所定の閾値とを比較して、上記検知結果が上記所定の閾値以下である場合であって、上記日出没時刻特定部が特定した日出時刻に、上記点灯回路部を制御することにより、上記光源を消灯させる、あるいは、上記日出時刻後の上記所定の時間内において、上記所定の閾値を上回るまで、上記点灯回路部を制御することにより、上記検知結果の上昇に伴って、上記光源から照射される照射光の照度をより低くするように上記光源の調光を行って点灯を維持することが好ましい。
【００１１】
この照明装置において、上記制御部は、上記明るさ検知部の検知結果と、所定の閾値とを比較して、上記検知結果が上記所定の閾値以下である場合、上記日出没時刻特定部が特定した日没時刻前の上記所定の時間内において、上記点灯回路部を制御することにより、上記光源を点灯させることが好ましい。
【００１２】
この照明装置において、上記蓄電池部の充電量を所定の間隔で検知する充電量検知部を備え、上記制御部が上記点灯回路部を制御することにより、上記充電量検知部が検知した上記蓄電池部の充電量の低下に伴って、上記光源から照射される照射光の照度をより低くするように上記光源の調光を行うことが好ましい。
【００１３】
この照明装置において、上記明るさ検知部は、上記太陽光発電部の発電量を検知する上記発電量検知部、あるいは上記太陽光発電部とは別に設けられ地上面の照度を検知する光センサ部を用いて構成されてなることが好ましい。
【発明の効果】
【００１４】
本発明の照明装置は、より精度よく昼夜を判別しつつ、周囲の明るさに応じて光源の点灯や消灯を制御することが可能になるという効果がある。
【図面の簡単な説明】
【００１５】
【図１】実施形態１の照明装置を示し、（ａ）はブロック図、（ｂ）は外観斜視図である。
【図２】同上の照明装置の日出没時刻設定部の外観図である。
【図３】同上の照明装置の動作説明図であり、（ａ）は太陽光発電部の発電量の時間変化を示し、（ｂ）は光源部の調光レベルの時間変化を示す。
【図４】同上の照明装置の他の動作説明図であり、（ａ）は蓄電池部の充電量の時間変化を示し、（ｂ）は光源部の調光レベルの時間変化を示す。
【図５】同上の照明装置の別の動作説明図である。
【図６】実施形態２の照明装置を示すブロック図である。
【図７】同上の照明装置の動作説明図である。
【発明を実施するための形態】
【００１６】
（実施形態１）
以下、本実施形態の照明装置１０を図１（ａ）のブロック図に基づいて説明し、照明装置１０としての街路灯について図１（ｂ）を用いて説明する。なお、図中において同じ部材に対しては、同じ番号を付して重複する説明を省略している。
【００１７】
本実施形態の照明装置１０は、図１（ａ）に示すように、太陽光を受光することにより発電する太陽光発電部１と、該太陽光発電部１が発電した電力を蓄える蓄電池部３と、該蓄電池部３を電源として光源部２の光源２ａを点灯させる点灯回路部２ｂを制御する制御部４とを備えている。
【００１８】
また、本実施形態の照明装置１０は、日出時刻データおよび日没時刻データを保持するデータ保持部５ａと、該データ保持部５ａの上記日出時刻データおよび日没時刻データに基づいて日出時刻および日没時刻を特定する日出没時刻特定部５ｂと、太陽光発電部１の発電量を検知し、周囲の明るさを検知する明るさ検知部を構成する発電量検知部１ａとを備えている。
【００１９】
特に、本実施形態の照明装置１０は、制御部４が日出没時刻特定部５ｂによって特定した日出時刻または日没時刻を基準時とした該基準時前後の所定の時間内において、発電量検知部１ａの検知結果および上記基準時のいずれか一方に基づいて、点灯回路部２ｂを制御することにより、光源２ａの点灯または消灯を行う。
【００２０】
本実施形態の照明装置１０は、日出没時刻特定部５ｂによって特定した日出時刻または日没時刻を基準として、精度よく昼夜を判別し、制御部４が点灯回路部２ｂを制御することにより、光源部２における光源２ａの点灯や消灯を行うことができる。また、本実施形態の照明装置１０は、発電量検知部１ａが検知した太陽光発電部１の発電量に応じて、制御部４が光源部２の点灯回路部２ｂを制御することにより、周囲の明るさに応じて光源２ａから照射される照射光を調光などすることができる。すなわち、本実施形態の照明装置１０は、より精度よく昼夜を判別しつつ、周囲の明るさに応じて光源部２の点灯や消灯を制御することが可能となる。
【００２１】
本実施形態の照明装置１０は、たとえば、図１（ｂ）に示す街路灯のごとく、角筒状の鋼管を用いて形成させたポール１１を備えている。照明装置１０は、ポール１１の上部側でポール１１に支持された直方体状の光源部２をポール１１の延伸方向と垂直方向に突出して設けている。光源部２は、たとえば、アルミニウム製のカバーの内部に、光源２ａとしてのＬＥＤ光源と、該ＬＥＤ光源を点灯制御する点灯回路部２ｂとを収納させている。
【００２２】
また、照明装置１０は、矩形平板状の太陽光発電部１たる太陽電池パネル１ａａを地表面に対して所定の角度（たとえば、４０°）に傾けてポール１１の頂上部に設けている。本実施形態の照明装置１０の太陽電池パネル１ａａは、前面が透光性の強化ガラスで覆われ、内部に、電気的に直並列に接続させた複数個の太陽電池１ａｂを備えている。
【００２３】
さらに、本実施形態の照明装置１０は、ポール１１の下部側に、たとえば、亜鉛鋼板などにより直方体状の箱体に形成させた蓄電池ボックス１３を備えている。蓄電池ボックス１３の内部には、図示していないが、複数個の蓄電池を電気的に直並列に接続された蓄電池部３および蓄電池部３の充電量を検知する充電量検知部３ａを収納させている。また、蓄電池ボックス１３の内部には、太陽光発電部１たる太陽電池パネル１ａａの発電量を検知する発電量検知部１ａおよび点灯回路部２ｂを制御する制御部４も収納させている。なお、蓄電池部３は、上記蓄電池の過充電や過放電を抑制する蓄電池制御部を好適に備えることができる。また、蓄電池部３は、太陽電池パネル１ａａが発電した電力を所定の電圧で上記蓄電池に充電する、あるいは、光源部２側へ所定の電圧で供給できるようにＤＣ／ＤＣコンバータなどを適宜に備えることができる。これにより、蓄電池部３は、太陽電池パネル１ａが発電した電力を過充電が生じないように蓄電池部３の蓄電池に充電させたり、蓄電池部３の蓄電池からの電力を過放電が生じないように光源部２側に供給することができる。また、本実施形態の照明装置１０の蓄電池部３は、上記蓄電池の寿命などの場合、上記蓄電池だけを交換できるように構成している。
【００２４】
なお、ポール１１の下部には、図示していないボルトなどを用いて、地表面側と取り付け可能な矩形平板状の取付プレート１２を備えている。また、ポール１１は、地表面側から光源部２が付いたポール１１の下段部側と、その上の太陽光発電部１が付いたポール１１の上段部側とに分離させ、その結合部にポール１１の上段部側を下段部側に対して回転させることが可能な回転機構（図示していない）を設けてもよい。これにより、照明装置１０は、太陽電池パネル１ａａと、光源部２の向きとを適宜異ならせることができる。すなわち、照明装置１０は、設置場所によらず、太陽電池パネル１ａａが太陽光をより多く得ることができるように真南方向に向けつつ、光源部２の光源２ａから照射される照射光を必要な所定の方向に向けることができる。
【００２５】
なお、照明装置１０における光源部２は、必ずしも、太陽電池パネル１ａａが設置されたポール１１と一体に形成されたものばかりでなく、太陽電池パネル１ａａが設置されたポール１１とは離れた位置に、設置させたポールライトなどとして構成することもできる。
【００２６】
以下、本実施形態の照明装置１０における各構成について詳述する。
【００２７】
本実施形態の照明装置１０に用いられる太陽光発電部１は、所定の電圧と電流が得られるように、複数個の太陽電池１ａｂを電気的に直並列に接続してパネル状にした太陽電池パネル１ａａや太陽光を集光して汽力発電の熱源として利用する太陽熱発電などを用いることができる。太陽光発電部１たる太陽電池パネル１ａａは、たとえば、前面側に太陽光の透過率が高い強化ガラスで覆い、電気的に直並列に接続させた複数個の太陽電池１ａｂをＥＶＡ（エチレン酢酸ビニル共重合体）などにより封止することにより形成することができる。太陽電池パネル１ａａは、ポール１１の頂上部に設置するため、太陽電池パネル１ａａの面積が大きければ大きいほど風力などに耐えうる物理的強度が高いポール１１などを必要とする。太陽電池パネル１ａａは、同じ電力を得るために、より変換効率の高い太陽電池を用いることで太陽電池パネル１ａａの面積をより小さくすることができる。このような、太陽電池パネル１ａａは、アモルファスシリコン太陽電池などと比較して、比較的に変換効率の高い単結晶シリコン太陽電池を用いることが好ましい。なお、太陽電池１ａｂは、単結晶シリコン太陽電池だけに限られず、多結晶シリコン太陽電池、アモルファスシリコン太陽電池やＣＩＳ系（たとえば、Ｃｕ（Ｉｎ，Ｇａ）Ｓｅ２など）太陽電池など他の化合物半導体を用いた太陽電池でもよい。太陽電池パネル１ａａは、昼間、太陽光を受光することにより発電した電力を、ポール１１の内部に挿通した図示しない電力ケーブルを介して蓄電池部３側に供給して、上記蓄電池を充電することができる。
【００２８】
発電量検知部１ａは、太陽光発電部１が発電した発電量を検知することで、照明装置１０の周囲の明るさを検知する明るさ検知部として機能させることができる。発電量検知部１ａは、たとえば、太陽光発電部１たる太陽電池パネル１ａａから蓄電池部３へ供給される電流の経路に挿入した抵抗（図示していない）と、当該抵抗の両端電圧を入力させるコンパレータＩＣ（図示していない）などとにより構成することができる。コンパレータＩＣは、上記抵抗の両端電圧と、所定の閾値電圧とを比較することにより、太陽電池パネル１ａａで発電した発電量を検知することができる。なお、発電量検知部１ａは、上記コンパレータＩＣを用いて構成するものだけでなく、後述する制御部４を構成するマイクロコンピュータを利用して構成させてもよい。発電量検知部１ａは、たとえば、マイクロコンピュータに内蔵したＡ／Ｄ変換部を介して、上記抵抗の両端電圧を上記マイクロコンピュータに入力させことで、太陽光発電部１が発電した発電量を検知する構成とすることができる。
【００２９】
光源部２は、たとえば、白色光が発光可能なＬＥＤ光源たる光源２ａと、光源２ａと電気的に接続され該光源２ａを点灯、調光および消灯の制御をすることが可能な点灯回路部２ｂとを備えて構成することができる。光源部２の光源２ａは、ＬＥＤ光源だけに限られず、蛍光灯などの放電灯や白熱灯などを用いてもよい。点灯回路部２ｂは、制御部４からの制御信号（たとえば、パルス幅変調信号）に応じて、光源部２の光源２ａを点灯、調光および消灯をすることができればよい。すなわち、光源部２の点灯回路部２ｂは、制御部４からの制御信号に応じて、照射光の照度を連続的や断続的に変化させて適宜光源２ａの調光を行うことができる。
【００３０】
なお、光源部２ａは、蓄電池部３からの電力が供給されるように、ポール１１の内部に挿通した図示しない電源ケーブルを介して蓄電池部３の上記蓄電池と電気的に接続させている。
【００３１】
光源２ａとしてＬＥＤ光源を用いた場合、点灯回路部２ｂは、たとえば、光源２ａと直列に接続した可変抵抗などのインピーダンス成分を制御する。これにより点灯回路部２ｂは、光源２ａに流れる電流量を調整して、光源２ａから照射される照射光を調光することができる。また、光源２ａとしてＬＥＤ光源を用いた場合、点灯回路部２ｂは、光源２ａに直列に接続するＭＯＳＦＥＴなどのスイッチング素子をパルス駆動させ、パルス駆動のオン・デューティ比を制御することにより、光源２ａから照射される光を調光など制御することもできる。また、光源部２の光源２ａとして蛍光灯を用いた場合、点灯回路部２ｂは、共振型インバータ回路（図示していない）の動作周波数を調整することにより、光源２ａから照射される光を調光など制御することができる。
【００３２】
蓄電池部３は、リチウムイオン電池や電解液の減少を抑えたシール鉛電池などの蓄電池を用いることができる。蓄電池部３は、光源部２の消費電力などに応じて、複数個のリチウムイオン電池などを適宜、直並列に接続させて構成させればよい。
【００３３】
充電量検知部３ａは、上記蓄電池の電圧を所定の時間ごとに測定することで、蓄電池部３の充電量を検知することができる。本実施形態の照明装置１０は、点灯回路部２ｂを制御することにより、充電量検知部３ａが検知した蓄電池部３の充電量の低下に伴って、光源部２から照射される照射光の照度をより低くするように光源２ａの調光を行うことができる。
【００３４】
また、蓄電池部３は、太陽光発電部１から蓄電池部３への充電が無制限に行われると過充電状態となる恐れがある。蓄電池部３は、蓄電池部３が過充電状態となる場合、上記蓄電池の寿命が急速に短くなる傾向にある。そのため、制御部４は、たとえば、蓄電池部３の充電量を検知する充電量検知部３ａを用いて、蓄電池部３の電圧が上昇して所定の充電終止電圧に達したことを検知したときに蓄電池部３が過充電状態になったと判断して、蓄電池部３への充電を停止させてもよい。これにより、照明装置１０は、過充電状態を回避し、蓄電池部３の上記蓄電池の寿命が短くなるのを抑制することができる。
【００３５】
同様に、照明装置１０は、夜間に、蓄電池部３側から光源部２への電力供給が無制限に行われると、蓄電池部３の過放電状態が生じ、蓄電池部３の上記蓄電池の寿命が急速に短くなる恐れがある。そのため、制御部４は、充電量検知部３ａを用いて蓄電池部３の電圧が降下して所定の放電終止電圧に達したことを検知したときに蓄電池部３が過放電状態になったと判断して、蓄電池部３から光源部２へ供給する電力を停止などさせてもよい。これにより、照明装置１０は、蓄電池部３の過放電状態を回避し、蓄電池部３の上記蓄電池の寿命が短くなることを抑制することができる。
【００３６】
本実施形態の照明装置１０は、発電量検知部１ａの検知結果に基づいて、光源部２の光源２ａの調光などするだけではなく、蓄電池部３の充電状態に応じて蓄電池部３から光源部２へ供給する電力を制御することもできる。
【００３７】
なお、蓄電池部３には、たとえば、パワーＭＯＳＦＥＴなどの半導体スイッチをオン／オフ制御するスイッチングレギュレータなどにより構成したＤＣ／ＤＣコンバータ（図示していない）を好適に備えてもよい。蓄電池部３のＤＣ／ＤＣコンバータは、定電圧制御方式によって、太陽電池パネル１ａａの電圧を所望の電圧に調整して上記蓄電池に蓄電させることができる。同様に、蓄電池部３のＤＣ／ＤＣコンバータは、蓄電池部３の電圧を所望の電圧に調整して光源部２側に供給することができる。
【００３８】
本実施形態の照明装置１０に用いられる制御部４は、たとえば、マイクロコンピュータなどにより構成することができる。本実施形態の照明装置１０の制御部４は、日出時刻データおよび日没時刻データを予め保持するデータ保持部５ａを備えている。また、本実施形態の照明装置１０の制御部４は、データ保持部５ａの日出時刻データおよび日没時刻データに基づいて日出時刻および日没時刻を特定する日出没時刻特定部５ａを備えている。さらに、制御部４は、日出時刻または日没時刻を基準時とした該基準時前後の所定の時間を経時可能なタイマ部（図示していない）とを備えている。
【００３９】
制御部４は、点灯回路部２を制御することで光源２ａの点灯、調光および消灯を行うことができる。より具体的には、制御部４は、発電量検知部１ａの検知結果と、所定の閾値とを比較して、上記検知結果が上記所定の閾値以下である場合であって、日出没時刻特定部５ｂが特定した日出時刻に、点灯回路部２ｂを制御することにより、光源２ａを消灯させることができる。あるいは、制御部４は、日出時刻後の所定の時間内において、上記所定の閾値を上回るまで、点灯回路部２ｂを制御することにより、上記検知結果の上昇に伴って、光源２ａから照射される照射光の照度をより低くするように光源２ａの調光を行って点灯を維持させることができる。
【００４０】
また、制御部４は、発電量検知部１ａの検知結果と、所定の閾値とを比較して、検知結果が所定の閾値以下である場合、日出没時刻特定部５ｂが特定した日没時刻前の所定の時間内において、点灯回路部２ｂを制御することにより、光源２ａを点灯させることができる。なお、日出時刻前の所定の時間と、日出時刻後の所定の時間とは、同じ時間間隔であってもよいし、異なっていてもよい。また、日没時刻前の所定の時間と、日没時刻後の所定の時間とは、同じ時間間隔であってもよいし、異なっていてもよい。さらに、日出時刻前の所定の時間と日没時刻前の所定の時間や、日出時刻後の所定の時間と日没時刻後の所定の時間は、同じ時間間隔であってもよいし、異なっていてもよい。
【００４１】
また、本実施形態の照明装置１０は、たとえば、照明装置１０の近隣にある看板照明などから照射される光により照明装置１０の周囲が所定の照度以上となる場合がある。照明装置１０は、照明装置１０の周囲が所定の照度以上の場合、制御部４が光源２ａから不要な明るさの照射光を抑制するように制御することで、上記蓄電池の寿命をより長くすることができる。また、本実施形態の照明装置１０は、蓄電池の設定寿命を同じとすれば、制御部４が光源２ａから不要な明るさの照射光を抑制するように制御していない場合と比較して、太陽電池パネル１ａａの大きさや蓄電池部３の上記蓄電池の容量をより小型化することが可能となる。
【００４２】
また、制御部４は、日没時刻からの経過時間に応じて、光源部２の光源２ａから照射される照射光の照度が低くなるように、点灯回路部２ｂの制御により光源２ａの調光を行うことで、蓄電池部３の放電量を抑制することもできる。
【００４３】
制御部４は、日出時刻および日没時刻を基準時とした昼間と夜間との２種類の時間帯だけでなく、他の所定の時間帯（たとえば、深夜の時間帯）においても光源部２の点灯回路部２ｂを制御するように構成してもよい。照明装置１０は、たとえば、制御部４が、日没時刻からタイマ部により経時した所定時間が経過した後の深夜の時間帯において、光源部２の光源２ａから照射される照射光の照度をより低くなるように点灯回路部２ｂを制御する。これにより、照明装置１０は、光源部２の消費電力を低減させ、蓄電池部３の放電量を抑制することができる。なお、照明装置１０は、住宅地周辺に設置される場合、深夜の時間帯になると光源部２の光源２ａを消灯させてもよい。
【００４４】
また、制御部４は、日没時刻の前後において、周囲がまだ明るい時刻帯では、光源２ａの照度を抑えて消費電力を低減させ、蓄電池部３の上記蓄電池が放電する電力を抑えるように制御してもよい。そして、制御部４は、照明装置１０の周囲がより暗くなると、光源２ａから照射される光を十分な照度レベルに大きくさせ、通行人などに安心感を与えるように制御してもよい。さらに、制御部４は、深夜の時間帯になると、通行人などに安心感を与える十分な照度レベルから光源部２の光源２ａから照射される照度を抑えて消費電力を低減させ、蓄電池部３の上記蓄電池から放電する電力を抑えるように制御してもよい。すなわち、照明装置１０は、予め保持させたデータ保持部５ａの日出時刻データおよび日没時刻データに基づいて日出没時刻特定部５ｂが特定した日没時刻からの経過時間に応じて光源部２から照射される照射光を制御することもできる。なお、照明装置１０は、制御部４に光源２ａの調光を滑らかに変化させるフェード機能を備えさせてもよい。
【００４５】
データ保持部５ａは、制御部４を構成するマイクロコンピュータに内蔵するメモリ（たとえば、不揮発性メモリであるＥＥＰＲＯＭなど）や独立したメモリＩＣを利用することができる。データ保持部５ａは、たとえば、日出時刻や日没時刻がそれぞれ所定の範囲内で実質的に同一と見做せる地域が１つの地区になるように、日本国内を複数個の地区（たとえば１２の地区）に分割して、月日毎の日出時刻や日没時刻の情報を対応させたデータテーブルを保持させている。データ保持部５ａは、製造工場などで上記データテーブルを記憶させれて予め保持させておけばよい。なお、日出時刻や日没時刻とは、太陽の上端が地平線（あるいは水平線）に接する瞬間の時刻をいう。
【００４６】
制御部４は、地区ごとの日出時刻データおよび日没時刻データをデータ保持部５ａにデータテーブルなどの形で記憶させている。そのため、本実施形態の照明装置１０は、照明装置１０の設置時に、たとえば、設置工事者などが日本国内を複数個の地区に分割した地理的場所のどの位置にあたるかの位置情報を、後述する日出没時刻設定部６により設定入力する。照明装置１０は、日出没時刻設定部６の設定により、上記地区を選択することで、たとえば、選択した地区の日出時刻データおよび日没時刻データをデータ保持部５ａから日出没時刻特定部５ｂが読み出すことができる。照明装置１０は、日出没時刻特定部５ｂにより所定の日出時刻および日没時刻を特定することで、日出時刻と日没時刻とを境界として、昼間と夜間とを区別することができる。
【００４７】
日出没時刻特定部５ｂは、データ保持部５ａの日出時刻データおよび日没時刻データに基づいて、日出時刻や日没時刻を特定する。なお、日出没時刻特定部５ｂは、専用のリアルタイムクロックＩＣや制御部４を構成するマイクロコンピュータのタイマ部により月日を特定して、データ保持部５ａ内のデータテーブルを参照して日出時刻や日没時刻を求めればよい。すなわち、日出没時刻特定部５ｂは、制御部４のマイクロコンピュータの命令で、データ保持部５ａから日出時刻データおよび日没時刻データを読み出す構成とすればよい。また、日出没時刻特定部５ｂは、データ保持部５ａに予め保持させた日出時刻データおよび日没時刻データたる日出時刻や日没時刻を特定するための演算式を読み出して、位置情報(緯度経度情報)や月日情報を代入することにより、日出時刻や日没時刻を特定してもよい。
【００４８】
なお、データ保持部５ａは、たとえば、日本全国の１年分の日出時刻データおよび日没時刻データを、テーブル形式で記憶する構成とすることもできる。また、データ保持部５ａは、たとえば、２日おきの日出時刻データおよび日没時刻データを予め保持しておいて、保持している日出時刻データおよび日没時刻データの間の日の日出時刻および日没時刻を前日および翌日の日出時刻データおよび日没時刻データから演算で求めるようにしてもよい。また、照明装置１０は、使用場所における日出時刻および日没時刻を予め記憶させている演算式に基づいて求めるようにしてもよい。本実施形態の照明装置１０のデータ保持部５ａは、たとえば、地理的場所毎の１ヶ月分あるいは、１年間の日出時刻データおよび日没時刻データからそれぞれ近似曲線を求めた係数を備えた演算式を記憶させておく。制御部４は、日付が更新されるごとに上記係数を備えた演算式を使って当日の日出時刻および日没時刻を計算により求めることもできる。演算により日出時刻および日没時刻を特定する場合、制御部４は、年間の日出時刻および日没時刻それぞれを個別に記憶させる場合と比較して、データ保持部５ａの記憶容量を小さくすることができる。
【００４９】
ここで、日出時刻および日没時刻は、日および場所に応じた固有値であるから、照明装置１０は、初期設定で設定された地理的場所を選択することによって、日出時刻および日没時刻を一義的に決めることができる。これに対して、照明装置１０は、照明装置１０が設置される具体的場所の立地条件や周囲環境によって、予め定められた日出時刻および日没時刻を所定の時間内で適宜変更する方がよい場合がある。
【００５０】
そのため、本実施形態の照明装置１０は、地理的場所によって定まる日出時刻および日没時刻に対して、発電量検知部１ａの検知結果に基づいて適宜、点灯回路部２ｂを制御することにより、光源２ａから照射させる照射光を制御している。
【００５１】
本実施形態の照明装置１０は、たとえば、地理的場所によって定まる日出時刻および日没時刻を後述する日出没時刻設定部６を用いて設定する。ここで、日出時に近隣にある建物の影となるような場所に照明装置１０が設置されている場合、照明装置１０は、太陽電池パネル１ａａに太陽光の入る時刻が実際の日出時刻よりも遅くなる。同様に、たとえば、日没時に近隣にある建物の影となるような場所に照明装置１０を設置している場合、照明装置１０には、太陽電池パネル１ａａに太陽光が入らなくなる時刻も実際の日没時刻よりも早くなることがある。本実施形態の照明装置１０は、日出没時刻特定部５ｂが特定する日出時刻や日没時刻を基準時とした該基準時前後の所定の時間（たとえば、１５０分）内において、発電量検知部１ａの検知結果および上記基準時のいずれか一方に基づいて、光源２ａの点灯または消灯を制御することになる。その結果、本実施形態の照明装置１０は、日出没時刻特定部５ｂが特定する日出時刻および日没時刻に、光源２ａの点灯や消灯が行われる場合と比較して、周囲の状況に応じた適切な照明を行うことができる。
【００５２】
日出没時刻設定部６は、照明装置１０の位置情報や月日を計時するための現在時刻を設定するマンマシンインターフェースで構成することができる。日出没時刻設定部６は、たとえば、図２に示すように、各種の設定値を上げるためのボタン６ａ、各種の設定値を下げるためのボタン６ｂ、各種の設定の切換を行うためのボタン６ｄ、数値を表示するための液晶表示や７セグメントＬＥＤなどを用いた表示部６ｃを備えて構成することができる。また、日出没時刻設定部６は、太陽光発電部１の発電状態や蓄電池部３の状態（たとえば、充電中、負荷出力中、過充電状態や過放電状態）など各種の情報を表示部６ｃに表示することもできる。
【００５３】
照明装置１０は、照明装置１０の位置情報を日出没時刻設定部６に手動で入力するほか、ＧＰＳ（Global Positioning System）受信機（図示していない）を日出没時刻設定部６に内蔵させて自動的に位置情報や現在時刻を入手する構成としてもよい。照明装置１０は、たとえば、ＧＰＳ衛星と呼ばれるＮＡＶＳＴＥＲ（Navigation Satellite Timing And Ranging）衛星から送信される無線信号であるＧＰＳ信号を用いて測位を行うＧＰＳ受信機を備えればよい。すなわち、照明装置１０は、日出没時刻設定部６が、ＧＰＳ受信機において受信されたＧＰＳ信号から得られた日付と位置情報（緯度・経度）とを用いた演算により、日出時刻や日没時刻を得ることもできる。なお、日出没時刻設定部６は、定期的に、ＧＰＳ信号から得られた時刻を用いて、制御部４に内蔵している計時部（図示していない）の時刻を修正することもできる。また、上記計時部は、電波時計と同様に定期的に標準電波を受信して時刻を自動的に修正する構成としてもよい。
【００５４】
以下、本実施形態の照明装置１０の動作を図３ないし図５を用いて説明する。
【００５５】
本実施形態の照明装置１０は、光源部２の光源２ａとしてＬＥＤ光源を用いており、制御部４の出力する制御信号のオン・デューティに応じて、点灯回路部２ｂがＬＥＤ光源の点灯、調光および消灯を行うことができる。
【００５６】
図３（ａ）は、日没頃の時刻帯で、太陽が沈み太陽光発電部１の発電量がアナログ的に下がるときの発電量検知部１ａが検知した発電量に対応する電圧値（図３（ａ）中の曲線を参照）の時間変化を示している。また、図３（ｂ）は、発電量検知部１ａが検知した検知結果に基づいて、制御された光源部２の調光レベルの時間変化を示している。照明装置１０は、制御部４が日出没時刻特定部５ｂによって特定した日没時刻を基準時とした該基準時前後の所定の時間内において、太陽光発電部１の発電量を発電量検知部１ａにより所定の間隔でサンプリングしている。制御部４は、太陽光発電部１の発電量が予め設定した所定の閾値ａ（図３（ａ）の一点鎖線を参照）より下がると、光源部２の光源２ａたるＬＥＤ光源を調光レベルの下限値（図３（ｂ）の一点鎖線を参照）で点灯させる。その後、照明装置１０の制御部４は、発電量検知部１ａが検知する太陽光発電部１の発電量の低下にしたがって、光源部２のＬＥＤ光源から照射される光が明るくなるように点灯回路部２ｂを調光する。具体的には、制御部４は、照明装置１０の周囲が所定の照度を得られるように、制御部４の内部に備えたＲＯＭに予め記憶させたデータテーブルから太陽光発電部１の発電量に対応する光源部２の調光レベルを決定させればよい。また、制御部４は、太陽光発電部１の発電量と、光源部２の調光レベルとの関係を示す関数式（たとえば、１次関数)に、太陽光発電部１の発電量に相当する値を代入して光源部２の調光レベルを演算させて求めてもよい。なお、照明装置１０は、太陽光発電部１の発電量が所定の閾値ｂ（図３（ａ）の二点鎖線を参照）を下回ると、光源部２のＬＥＤ光源における調光レベルの上限値（図３（ｂ）の二点鎖線を参照）の点灯状態に制御し、それ以降は調光レベルを維持している。
【００５７】
次に、図４（ａ）は、蓄電池部３の充電量の時間変化を示している。図４（ｂ）は、照明装置１０における光源部２の調光レベルの時間変化を示している。
【００５８】
充電量検知部３ａは、蓄電池部３の充電量を光源部２の点灯中において、所定の間隔で検知している。制御部４は、充電量検知部３ａが蓄電池部３の充電量が所定の値（図示していない）より少ないことを検知すると、光源部２のＬＥＤ光源の調光レベルを下げて光源部２の消費電力を抑制させ蓄電池部３の放電時間を延ばすように制御する。さらに、制御部４は、光源部２の電力消費により蓄電池部３の充電量が減少すれば、光源部２の調光レベルを段階的に下げている（図４（ｂ）を参照）。なお、照明装置１０は、制御部４が光源部２のＬＥＤ光源から照射される光の調光レベルを段階的に下げるように制御しているが、連続的に滑らかに調光レベルを低減させるように制御してもよい。
【００５９】
本実施形態の照明装置１０は、上述した図３の発電量検知部１ａの検知結果に応じて、光源部２から照射させる照射光の調光レベルに、図４に示した蓄電池部３の充電量に応じて光源部２から照射させる照射光の調光レベルを重畳させている。これにより、照明装置１０は、光源部２から照射させる照射光の明るさを、より低く調光させることができる。
【００６０】
制御部４は、発電量検知部１ａの検知結果が所定の閾値を上回るか、日出没時刻特定部５ｂが特定した日出時刻になると、光源部２の光源２ａを消灯させる、あるいは、光源部２から照射させる照射光の照度をより低く点灯するように点灯回路部２ｂを調光する。
【００６１】
すなわち、制御部４は、たとえば、図５に示すように、日出頃の時刻帯でデータ保持部５ａの日出時刻データに基づいて日出没時刻特定部５ｂが特定した日出時刻（図５（ａ）の左側を参照）を基準時とする該基準時前後の所定の時間（たとえば、１５０分）内において、所定の間隔（たとえば、１分間隔）で発電量検知部１ａの検知した検知結果を取り込んでいる。制御部４は、発電量検知部１ａの検知結果（図５（ｂ）中の曲線を参照）と、所定の閾値ｃ（図５（ｂ）中の一点鎖線を参照）とを比較する。制御部４は、上記検知結果が閾値ｃ以下である場合であっても（図５（ｂ）の左側を参照）、日出没時刻特定部５ｂが特定した日出時刻を、制御部４が内蔵するプログラムによって優先させ、光源部２の点灯回路部２ｂを制御することによって、光源２ａを消灯させている（図５（ｃ）の左側を参照）。
【００６２】
なお、本実施形態の照明装置１０は、制御部４が、日出時刻の所定の時間前から発電量検知部１ａの検知結果を取り込み、日出時刻前であっても発電量検知部１ａの検知結果が所定の閾値ｃを上回った時点で、光源２ａを消灯させるように点灯回路部２ｂを制御してもよい。
【００６３】
また、照明装置１０は、制御部４が、日出時刻を経過した後であっても、発電量検知部１ａの検知結果が所定の閾値ｃを下回っていれば、光源部２の点灯を継続させてもよい。この場合、制御部４は、所定の時間内において、発電量検知部１ａの検知結果が所定の閾値ｃを超えた時点で光源部２を消灯するように点灯回路部２ｂを制御する。制御部４は、所定の時間内において、発電量検知部１ａの検知結果が所定の閾値ｃを超えなければ、所定の時間を経過した時点で光源部２を消灯するように制御すればよい。
【００６４】
これにより、本実施形態の照明装置１０は、特に、日出頃の時刻帯における周囲の明るさに応じて、信頼性よく光源部２の消灯を行うことができる。
【００６５】
次に、制御部４は、発電量検知部１ａの検知結果が所定の閾値を下回るか、日出没時刻特定部５ｂが特定する日没時刻になると、光源部２の光源２ａを点灯させる、あるいは、より明るく調光させるように点灯回路部２ｂを制御する。
【００６６】
制御部４は、たとえば、図５に示すように、日没頃の時刻帯でデータ保持部５ａの日没時刻データに基づいて日出没時刻特定部５ｂが特定する日没時刻（図５（ａ）の右側を参照）を基準時とする該基準時前後の所定の時間（たとえば、１５０分）内において、所定の間隔（たとえば、１分間隔）で発電量検知部１ａの検知結果を取り込んでいる。制御部４は、発電量検知部１ａの検知結果（図５（ｂ）中の曲線を参照）と、所定の閾値ｃ（図５（ｂ）の一点鎖線を参照）とを比較する。制御部４は、発電量検知部３ａの検知結果が所定の閾値ｃ以下であることを検知すると（図５（ｂ）の右側を参照）、発電量検知部１ａが検知した検知結果を、制御部４が内蔵するプログラムによって優先させ、光源部２の点灯回路部２ｂを制御することによって、光源２ａを点灯させる（図５（ｃ）の右側を参照）。なお、制御部４は、基準時前後の所定の時間内において、一旦、光源２ａを点灯させると、点灯を維持させるように点灯回路部２ｂを制御している。
【００６７】
これにより、本実施形態の照明装置１０は、特に、日没頃の時刻帯における周囲の明るさに応じて、信頼性よく光源部２の点灯を制御させることができる。
【００６８】
すなわち、本実施形態の照明装置１０における制御部４は、予めデータ保持部５ａに保持させている日没時刻から所定の時間前（たとえば、１５０分）になると、所定の間隔（たとえば、１分間隔）で発電量検知部１ａにより、太陽光発電部１の発電量を検知する。制御部４は、発電量検知部１ａの検知結果と、所定の閾値ｃとを比較している。ここで、照明装置１０では、日没時刻の前から太陽光発電部１への太陽光の入射が少なくなり、太陽光発電部１の発電量が低下する（図５（ｂ）の右側を参照）。制御部４は、太陽光発電部１の発電量が所定の閾値ｃ以下になった場合、蓄電池部３からの電力を光源部２側に供給して光源２ａを点灯制御させる。
【００６９】
なお、本実施形態の照明装置１０は、制御部４が、基準時となる日没時刻を経過しても所定の時間（たとえば、１５０分）内において、発電量検知部１ａの検知結果が所定の閾値ｃを下回らない場合、日没時刻の経過時点で点灯回路部２ｂを制御して光源２ａを点灯させることもできる。また、制御部４は、点灯回路部２ｂを制御して、光源部２の光源２ａからの照射光が、周囲の明るさを補完して所定の照度が得られるように調光して点灯させることもできる。
【００７０】
同様に、照明装置１０は、制御部４が、日没時刻の所定の時間（たとえば、１５０分）前から発電量検知部１ａの検知結果が所定の閾値ｃを上回らない場合であっても、日没時刻の経過時点で光源部２を点灯するように点灯回路部２ｂを制御してもよい。
【００７１】
本実施形態の照明装置１０の制御部４は、発電量検知部１ａの検知結果を、日出頃や日没頃の時刻帯で共通の閾値ｃ（図５（ｂ）の一点鎖線を参照）を用いて光源部２の点灯制御を行っているが、日出頃や日没頃の時刻帯で異なる閾値（図示していない）を用いて光源部２を点灯制御してもよい。
【００７２】
いずれにしろ、本実施形態の照明装置１０は、制御部４が、日出没時刻特定部５ｂによって特定する日出時刻または日没時刻を基準時とした該基準時前後の所定の時間内において、発電量検知部１ａの検知結果および上記基準時のいずれか一方に基づいて、点灯回路部２ｂを制御することにより、光源２における光源２ａの点灯または消灯を行っている。
【００７３】
これにより、本実施形態の照明装置１０は、より精度よく昼夜を判別しつつ、周囲の明るさに応じて光源の点灯や消灯を制御することが可能になる。
【００７４】
（実施形態２）
本実施形態の照明装置１０は、図１で示した実施形態１の照明装置１０において、明るさ検知部として、太陽光発電部１の発電量を検知する発電量検知部１ａを用いて構成させる代わりに、図６に示す光センサ部８を用いて構成した点が相違する。
【００７５】
以下、本実施形態の照明装置１０を、図６および図７を用いて説明する。
【００７６】
本実施形態の照明装置１０は、図６に示すように、太陽光を受光することにより発電する太陽光発電部１と、該太陽光発電部１が発電した電力を蓄える蓄電池部３と、該蓄電池部３を電源として光源部２の光源２ａを点灯させる点灯回路部２ｂを制御する制御部４とを備えている。
【００７７】
また、本実施形態の照明装置１０は、日出時刻データおよび日没時刻データを保持するデータ保持部５ａと、該データ保持部５ａの日出時刻データおよび日没時刻データに基づいて日出時刻および日没時刻を特定する日出没時刻特定部５ｂと、太陽光発電部１とは別に設けられ地上面の照度を検知する明るさ検知部を構成する光センサ部８とを備えている。
【００７８】
本実施形態の照明装置１０は、制御部４が、日出没時刻特定部５ｂによって特定した日出時刻または日没時刻を基準時とした該基準時前後の所定の時間内において、光センサ部８の検知結果および上記基準時のいずれか一方に基づいて、点灯回路部２ｂを制御することにより、光源２ａの点灯または消灯を行う。
【００７９】
本実施形態の照明装置１０は、日出没時刻特定部５ｂによって特定した日出時刻または日没時刻により、精度よく昼夜を判別し、制御部４が点灯回路部２ｂを制御することにより、光源部２における光源２ａの点灯や消灯を行うことができる。また、本実施形態の照明装置１０は、光センサ部８が検知した地上面の照度に応じて、制御部４が光源部２の点灯回路部２ｂを制御することにより、周囲の明るさに応じて光源２ａから照射される照射光を調光などすることができる。
【００８０】
すなわち、本実施形態の照明装置１０は、より精度よく昼夜を判別しつつ、周囲の明るさに応じて光源部２の点灯や消灯を制御することが可能となる。なお、本実施形態の照明装置１０では、地上面の反射率に基づいて、地上面での照度を検知する光センサ部８の感度を補正する明るさ設定部７を設けている。
【００８１】
本実施形態の照明装置１０は、太陽光発電部１とは別途に備えた光センサ部８によって、地上面の照度を検知している。そのため、照明装置１０は、光センサ部８の検知結果に応じて、制御部４が点灯回路部２ｂを制御することで、光源部２から照射させる照射光の照度を適宜に調整することができる。
【００８２】
の制御部４は、光センサ部８の検知結果が所定の閾値を上回るか、日出没時刻特定部５ｂが特定した日出時刻になると、光源部２の光源２ａを消灯させる、あるいは、光源部２から照射させる照明光の照度をより低く点灯するように点灯回路部２ｂを調光する。
【００８３】
すなわち、制御部４は、たとえば、図７に示すように、日出頃の時刻帯でデータ保持部５ａの日出時刻データに基づいて日出没時刻特定部５ｂが特定した日出時刻（図７（ａ）の左側を参照）を基準時とする該基準時前後の所定の時間（たとえば、１５０分）内において、所定の間隔（たとえば、１分間隔）で光センサ部８の検知した検知結果を取り込んでいる。制御部４は、光センサ部８の検知結果（図７（ｂ）中の曲線を含む実線を参照）と、所定の閾値ｄ（図７（ｂ）中の一点鎖線を参照）とを比較する。制御部４は、上記検知結果が閾値ｄ以下である場合であっても（図７（ｂ）の左側を参照）、日出没時刻特定部５ｂが特定した検知結果の日出時刻を、制御部４が内蔵するプログラムによって優先させ、光源部２の点灯回路部２ｂを制御することによって、光源２ａから照射される照射光の照度を、より低くなるように光源２ａを調光させる。
【００８４】
引き続き、制御部４は、日出時刻を基準時とした基準時前後の所定の時間（たとえば、１５０分）内において、日出時刻後、光センサ部８の検知結果に応じて、点灯回路部２ｂを制御する。制御部４は、点灯回路部２ｂの制御により、検知結果の上昇に伴って、光源２ａから照射される照射光の照度を、さらに低くするように光源２ａを調光させている。そして、制御部４は、光センサ部８が検知した検知結果が閾値ｄを越えた場合、光源部２の光源２ａを消灯するように点灯回路部２ｂを制御する（図７（ｃ）の左側を参照）。
【００８５】
これにより、本実施形態の照明装置１０は、特に、日出頃の時刻帯における周囲の明るさに応じて、より信頼性よく光源部２の消灯や調光を制御させることができる。
【００８６】
次に、制御部４は、光センサ部８の検知結果が所定の閾値を下回るか、日出没時刻特定部５ｂが特定した日没時刻になると、光源部２の光源２ａを点灯させる、あるいは、より明るく調光させるように点灯回路部２ｂを制御する。
【００８７】
制御部４は、たとえば、図７に示すように、日没頃の時刻帯でデータ保持部５ａの日没時刻データに基づいて日出没時刻特定部５ｂが特定した日没時刻（図７（ａ）の右側を参照）を基準時とする該基準時前後の所定の時間（たとえば、１５０分）内において、所定の間隔（たとえば、１分間隔）で光センサ部８の検知結果を取り込んでいる。制御部４は、光センサ部８の検知結果（図７（ｂ）中の曲線を含む実線を参照）と、所定の閾値ｄ（図７（ｂ）の一点鎖線を参照）とを比較する。制御部４は、光センサ部８の検知結果が所定の閾値ｄ以下であることを検知すると（図７（ｂ）の右側を参照）、光センサ部８が検知した検知結果を、制御部４が内蔵するプログラムによって優先させ、光源部２の点灯回路部２ｂを制御することによって、光源２ａを点灯させる。引き続き、制御部４は、光源２ａを点灯するように点灯回路部２ｂを制御させた後、光センサ部８の検知結果に応じて、光源２ａから照射される照射光の照度がより高くなるように点灯回路部２ｂを調光させている（図７（ｃ）の右側を参照）。なお、制御部４は、少なくとも日没時刻後の所定の時間内において、光源部２ａの点灯後は、調光のみで消灯させないように点灯回路部２ｂを制御している。
【００８８】
本実施形態の照明装置１０は、特に、日没頃の時刻帯における周囲の明るさに応じて、より信頼性よく光源部２の点灯を制御させることができる。
【００８９】
本実施形態の照明装置１０は、制御部４が、日出没時刻特定部５ｂによって特定した日出時刻または日没時刻を基準時とした該基準時前後の所定の時間内において、光センサ部８の検知結果に基づいて光源２ａを点灯させる点灯回路部２ｂを制御している。そのため、本実施形態の照明装置１０は、より精度よく昼夜を判別しつつ、周囲の明るさに応じて光源の点灯や消灯を制御することが可能になる。
【００９０】
光センサ部８は、たとえば、ＣｄＳセル、シリコン製やゲルマニウム製のフォトダイオードやフォトＩＣなどの光センサを用いて構成することができる。本実施形態の照明装置１０では、光センサ部８をポール１１の頂上部に設けられた太陽電池パネル１ａａよりも地上面側であって光源部２からの光が入射されない光源部２近傍の位置に地上面側に向かって配置し、地上面での照度を検知させればよい。
【００９１】
制御部４は、光センサ部８の検知結果に基づいて、看板照明や周囲の建物の照明などから照射される光などにより地上面での照度が高いと判断できる場合、光源部２の光源２ａから照射させる光出力を抑制するように点灯回路部２ｂを制御する。照明装置１０は、光源部２から照射される光が抑制されても、周囲環境からの明かりが光源部２から照射される光を補完できるので、所定の地上面での照度を確保しつつ光源部２の消費電力を抑制し、蓄電池部３の寿命が短くなることを抑制することも可能となる。
【００９２】
明るさ設定部７は、光センサ部８による地上面での照度を一定値にフィードバック制御するための目標照度を設定するマンマシンインターフェースで構成することができる。明るさ設定部７は、マンマシンインターフェースを構成する日出没時刻設定部６と兼用し別途に設けなくともよい。
【００９３】
特に、本実施形態の照明装置１０は、光センサ部８が検知した地上面での照度に基づいて、制御部４が点灯回路部２ｂの制御により、光源部２の光源２ａから照射される照射光を制御する。これにより、照明装置１０は、太陽電池パネル１ａａの発電量を発電量検知部１ａで検知するだけでは、検知することが難しい照度の場合でも、明るさを精度よく検知することができる。また、照明装置１０は、看板照明や周囲の建物などから漏れる光の補完を利用して所定の地上面での照度を得つつ、蓄電池部３の寿命が短くなることを抑制することが可能となる。なお、本実施形態の照明装置１０は、明るさ検知部として光センサ部８のみを用いて構成しているが、実施形態１の発電量検知部１ａと併用してもよい。
【符号の説明】
【００９４】
１  太陽光発電部
１ａ  発電量検知部
２ａ  光源
２ｂ  点灯回路部
３  蓄電池部
３ａ  充電量検知部
４  制御部
５ａ  データ保持部
５ｂ  日出没時刻特定部
８  光センサ部
１０  照明装置
【図１】
2012094273.tif 000003
【図２】
2012094273.tif 000004
【図３】
2012094273.tif 000005
【図４】
2012094273.tif 000006
【図５】
2012094273.tif 000007
【図６】
2012094273.tif 000008
【図７】
2012094273.tif 000009